(57)【要約】【課題】バリアフリー性を損なうことなく、人が無理矢理戸を開けようとしても開けることが出来ない十分な強度を備えつつ、障子の開放範囲を制限することができる安全性の高い開放制限装置を提供することを目的とする。【解決手段】下枠上面を略フラットに形成し、この下枠上面に細い条状のスライド溝を設け、このスライド溝に、障子下框から垂下させた垂下片を嵌入し、下枠上面を障子がスライド走行する下枠上面フラットサッシ構造とし、下枠上面に障子の開口範囲を制限するストッパ受けを備え、障子下框内部に当該ストッパ受けに係合するストッパ部材を備えた。【選択図】  図６
2004239000.tif 000002
【特許請求の範囲】
【請求項１】
下枠上面を略フラットに形成し、この下枠上面に細い条状のスライド溝を設け、このスライド溝に、障子下框から垂下させた垂下片を嵌入し、下枠上面を障子がスライド走行する下枠上面フラットサッシ構造とし、下枠上面に障子の開口範囲を制限するストッパ受けを備え、障子下框内部に当該ストッパ受けに係合するストッパ部材を備えたことを特徴とするバリアフリーサッシの障子開放制限装置。
【請求項２】
下枠上面を略フラットに形成し、この下枠上面に細い条状のスライド溝を設け、このスライド溝に、障子下框から垂下させた垂下片を嵌入し、下枠上面を障子がスライド走行する下枠上面フラットサッシ構造とし、障子の開口範囲を制限するストッパ受けを、下枠上面にこのストッパ受け取付用凹部を形成して取り付け、障子下框内部に当該ストッパ受けに係合するストッパ部材を備えたことを特徴とするバリアフリーサッシの障子開放制限装置。
【請求項３】
下枠上面を略フラットに形成し、この下枠上面に細い条状のスライド溝を設け、このスライド溝に、障子下框から垂下させた垂下片を嵌入し、下枠上面を障子がスライド走行する下枠上面フラットサッシ構造とし、障子の開口範囲を制限するストッパ受けを、下枠上面に取付凹部を形成して取り付け、障子下框内部に当該ストッパ受けに係合するストッパ部材を備え、上記ストッパ受けとストッパ部材の係合を解除する操作用摘みを室外側に備え、室内側からは、キー操作により上記係合解除するための鍵穴を設けたものであることを特徴とするバリアフリーサッシの障子開放制限装置。
【請求項４】
下枠上面を略フラットに形成し、この下枠上面に細い条状のスライド溝を設け、このスライド溝に、障子下框室内側から垂下させた垂下片を嵌入し、下枠上面を障子がスライド走行する下枠上面フラットサッシ構造とし、障子の開口範囲を制限するストッパ受けを、下枠上面に取付凹部を形成して取り付け、障子下框内部に当該ストッパ受けに係合するストッパ部材を備え、上記ストッパ受けとストッパ部材の係合を解除する操作用摘みを室内側に備え、室外側には下框と下枠上面との間の隙間を隠す隠蔽部材を備えたことを特徴とするバリアフリーサッシの障子開放制限装置。
【発明の詳細な説明】
【０００１】
【発明の属する技術分野】
本発明は、建築物の屋外開口部に取り付けたサッシ枠内を戸がスライド開閉するサッシ構造に関し、特に高水密バリアフリー構造の引き違い、片引きの障子戸において、高水密性とバリアフリー性を損なうことなく、十分な強度を備えて障子戸の開放幅を所定範囲内に制限する高水密バリアフリーサッシの開放制限装置に関する。
【０００２】
【従来の技術】
室内の換気をするために、障子戸等を開放したい場合がある。
しかし、例えば老人福祉施設等では、老人が徘徊し、室外へ出るのを防止する必要がある。
そこで、戸の開放幅を所定範囲内に止めてこれ以上開かないストッパ機構を各障子毎に備えた開放制限装置を設けた構造が採用されている。
例えば、図１３にストッパ部の断面図を示すように突条状のレール１８０ａ及びレール１８０ｂを有する下枠１４２のレール間にブロック状のストッパ受け１３０を設け、下框の内側に設けたストッパ部材１２２を操作部１２７ａ操作により、ストッパ受け１３０に係合させることで障子の開放幅を制限しているものが提案されている。（特開２０００−１７０４２７号公報、特開２０００−１７０４２９号公報、特開２０００−１７０４２６号公報）
この場合、障子戸が走行するレールを設けた下枠１４２のレール間底部１７２ａ及び底部１７２ｂにブロック状のストッパ受けを取り付けることが可能である。
近年これらの施設に対してバリアフリー化の要求が高まり、室内と室外を隔てている障子戸の下枠上面がフラットに形成された下枠フラットサッシ構造を本願出願人は提案している（特開２００２−１９４９６３号公報）。
下枠上面がフラットのバリアフリーサッシは、下枠部分が略平面状に形成されており、その下枠に上記従来のようなブロック状のストッパ受けを取り付けたたけでは、出入口上面の障害物となり、バリアフリー性を損なうことになる。
また、一般の住宅等においてもバリアフリーサッシの要求が高まり、下枠上面フラットに形成した下枠構造のサッシ構造が採用されるようになったが、換気のために障子戸を開放しつつ、防犯上開放制限装置を取り付けたい要求が高くなっている。
【０００３】
【特許文献１】
特開２０００−１７０４２７号公報
【特許文献２】
特開２０００−１７０４２９号公報
【特許文献３】
特開２０００−１７０４２６号公報
【特許文献４】
特開２００２−１９４９６３号公報
【０００４】
【発明が解決しようとする課題】
本発明は上記のような状況を鑑みて、本願出願人がこれまで提案してきた下枠フラットサッシ構造において、バリアフリー性を損なうことなく、人が無理矢理戸を開けようとしても開けることが出来ない十分な強度を備えつつ、障子の開放範囲を制限することができる安全性の高い開放制限装置を提供することを目的とする。
特に本発明においては、高水密性を確保したバリアフリー性と、高い開放制限強度確保との両立を図った点に特徴がある。
また、保育園にての園児の事故防止、施設にて老人等の徘徊防止及び一般住宅等における防犯仕様にも対応出来る。
【０００５】
【課題を解決するための手段】
請求項１記載の発明の技術的要旨は、下枠上面を略フラットに形成し、この下枠上面に細い条状のスライド溝を設け、このスライド溝に、障子下框から垂下させた垂下片を嵌入し、下枠上面を障子がスライド走行する下枠上面フラットサッシ構造とし、下枠上面に障子の開口範囲を制限するストッパ受けを備え、障子下框内部に当該ストッパ受けに係合するストッパ部材を備えた点である。
【０００６】
請求項２記載の発明の技術的要旨は、下枠上面を略フラットに形成し、この下枠上面に細い条状のスライド溝を設け、このスライド溝に、障子下框から垂下させた垂下片を嵌入し、下枠上面を障子がスライド走行する下枠上面フラットサッシ構造とし、障子の開口範囲を制限するストッパ受けを、下枠上面にこのストッパ受け取付用凹部を形成して取り付け、障子下框内部に当該ストッパ受けに係合するストッパ部材を備えた点である。
【０００７】
このように、下枠上面にストッパ受け取付用凹部を形成して、このストッパ受けを収納したことにより、下枠上面からのストッパ受けの突出量を抑えてバリアフリー性を確保しつつ、ストッパ受けの破壊強度を高くすることができる。
本発明におけるストッパ受けは、請求項１記載の発明のように、下枠上面に取り付けても下框内部にストッパ部材が内蔵されているので小さな突出量で済む（図１１参照）が、請求項２記載の発明のように、下枠上面に凹部を形成して、このストッパ受けを収納するとストッパ部材が下枠上面を障子の開きに伴ってスライドし、下枠上面のへこみ部に落ち込んでストッパ受けに係合するように作動するので、係合強度が高いだけでなく、開放制限装置を使用しない通常の障子開放時には下枠上面に突起物が全く無くなり、よりバリアフリーになる。
【０００８】
請求項３記載の発明の技術的要旨は、下枠上面を略フラットに形成し、この下枠上面に細い条状のスライド溝を設け、このスライド溝に、障子下框から垂下させた垂下片を嵌入し、下枠上面を障子がスライド走行する下枠上面フラットサッシ構造とし、障子の開口範囲を制限するストッパ受けを、下枠上面に取付凹部を形成して取り付け、障子下框内部に当該ストッパ受けに係合するストッパ部材を備え、上記ストッパ受けとストッパ部材の係合を解除する操作用摘みを室外側に備え、室内側からは、キー操作により上記係合解除するための鍵穴を設けた点である。
【０００９】
このように、開放制限装置の施錠、解錠用操作摘みを室外側に設けたことにより、保育士等の管理者、介護者、保護者のみが室外から操作出来て園児の事故防止、老人等の徘徊が防止でき、非常時には、室内側に設けた鍵穴からキー操作が可能となる。
【００１０】
請求項４記載の発明の技術的要旨は、下枠上面を略フラットに形成し、この下枠上面に細い条状のスライド溝を設け、このスライド溝に、障子下框室内側から垂下させた垂下片を嵌入し、下枠上面を障子がスライド走行する下枠上面フラットサッシ構造とし、障子の開口範囲を制限するストッパ受けを、下枠上面に取付凹部を形成して取り付け、障子下框内部に当該ストッパ受けに係合するストッパ部材を備え、上記ストッパ受けとストッパ部材の係合を解除する操作用摘みを室内側に備え、室外側には下框と下枠上面との間の隙間を隠す隠蔽部材を備えた点である。
【００１１】
このように、室内側に開放制限装置の施錠、解錠用操作摘みを設け、室外側にストッパ部材の係合部隠蔽部材を設けたので、障子戸を一部開放してあった場合でも、それ以上に戸を開くことができないので外部からの侵入を防止できる。
【００１２】
【発明の実施の形態】
本発明の実施の形態を図面に基づいて以下説明する。
本発明に係る開放制限装置を適用したサッシ構造の例の縦断面図を図１に、横断面図を図２、図３に示す。
また、図１２に本発明に係る開放制限装置が適用される屋外用高水密バリアフリーサッシの施工状態のイメージ図を示す。
下枠４２及び上枠４３と左縦枠４０及び右縦枠４１のサッシにて枠体が形成され、その枠内に屋外側から外障子５０、内障子６０が装着されている。
外障子５０は、下框５１及び上框５５と戸当框５２及び召合框５３にて枠を形成し、内側にガラス等が装着されている。
下框５１の室内側には垂下片５１ａが下框５１の側壁下部から逆Ｌ字状に垂下されている。
また、下框５１には戸車４５ａが取り付けられ、下枠上面１０９を回転移動する。
垂下片５１ａは、下枠上面に設けられている細い条状のスライド溝５６に嵌入され、その状態で障子は下枠上面を戸車を介してスライド走行する。
内障子６０は、下框６１及び上框６５と戸当框６２及び召合框６３にて枠を形成し、内側にガラス等が装着されている。
下框６１の室内側には垂下片６１ａが下框６１の側壁下部から逆Ｌ字状に垂下されている。
また、下框６１には戸車４５ｂが取り付けられ、下枠上面１０９を回転移動する。
垂下片６１ａは、下枠上面に設けられている細い条状のスライド溝６６に嵌入され、その状態で障子は下枠上面を戸車を介してスライド走行する。
下枠上面は、障子を開いた状態ではその上を通常通行するに際して、つまづきや、嵌り込みの原因となり得るような突起や穴は無く、略フラットに形成されており、下枠上面フラットサッシ構造となっている。
下枠４２は、図１に示すように中空断面形状からなるベース部材１００の上部に第１立ち上がり片１０１及び第２立ち上がり片１０２にて内障子用排水凹部７２ｂを設けて、この内障子用排水凹部７２ｂの底部に内障子用排水凹部排水口（図示省略）が配設されている。
また、第１立ち上がり片１０１の上部には、水平方向のフランジ１０１ａが設けられ、内障子用上面部材１０７と外障子用上面部材１０６にて下枠の上面のフラット頂面を形成している。
下枠のベース部材１００の上部に、第３立ち上がり片１０３及び第４立ち上がり片１０４にて外障子用排水凹部７２ａを設けて、この外障子用排水凹部７２ａの底部に外障子用凹部排水口（図示省略）が配設され、ベース部材１００の案内中空部１０８には下枠屋外排水口（図示省略）が設けられている。
下枠は排水機構を備えるために、このように中空構造を組み合わせて構成されている。
外障子側のストッパ受け取付用凹部３０ａは、上面部材１０６に中空部１５ａを押出成形等により一体成形することで二重構造にし、その中空部の障子戸の開放範囲を制限する位置に対応させて、外障子下框５１内部に設けられたストッパ部材の先端部が嵌入する穴を設けることで構成されている。
内障子側のストッパ受け取付用凹部３０ｂは、上面部材１０７に中空部１５ｂを押出成形等により一体成形することで二重構造にし、その中空部の障子戸の開放範囲を制限する位置に対応させて、内障子下框６１内部に設けられたストッパ部材の先端部が嵌入する穴を設けることで構成されている。
このように、二重構造にしてストッパ受けを埋め込むようにして取り付けるのが良く、二重構造の上の辺をストッパ受け形状に合わせて切り欠いて、このストッパ受けが上の辺に当接した安定した状態でビス等により取り付けると、外部から係合状態にある障子を無理矢理押し広げることは出来ない。
【００１３】
図２は、外障子を１１ｃｍ程開いた状態でストッパ機構を使用して、障子の開き制限を行っている状態である。
障子の開放幅をこの位置で制限することにより、換気を行うには十分でありながら、人の出入りは防止出来る。
図３は、ストッパ機構を解除して外障子を全開とした状態を示している。
図５に示すように、ストッパ受け３１は下枠４２の上面部材１０７に一体的に設けられた中空部１５ｂの上面に穴３７を設け、ストッパ受け取付用凹部３０ｂを形成し、その穴３７にブロック部３１ａを嵌め込み、ビスにて固定し設けられている。
ブロック部３１ａには緩衝材３１ｃが取り付けられ、ストッパ部材が当接した際の衝撃を緩和している。
穴３７内のブロック部３１ａと対向する位置には傾斜材３３が設けられ、開放幅制限を行っている障子を閉じる際に、ストッパ部材がこの傾斜材上を滑ることで滑らかに障子を閉じることが出来る。
【００１４】
図６はストッパ部材とストッパ受けの係合状態を示した図である。
ストッパ機構１０は下框６１内に取付基部２１が、その略コの字形状の開放部分を下に向けてビス止めされることで取り付けられている。
ストッパ部材２２には回動部材３４が設けられ、取付基部２１の略コの字形状の内側に収納され、回動部材３４が取付基部２１に略コの字形状の内側から連結することで、回動部材３４により回動するようになっている。
ストッパ部材２２は、回動部材３４部分からストッパ受け３１側へ延長されるアーム部２５及びストッパ受け取付用凹部３０ｂに嵌入される先端部２６を設け、アーム部２５と回動部材３４を挟み対向する部分には、使用者がストッパ部材２２を回動操作するための棹部２３が設けられ、例えば下框６１側面に開口部２７ｃを設けて操作摘み２７ｂの様な摘みを設けることで操作可能としている。
この回動操作は棹部に摘みを設けなくても、棹部に連結する軸を介して例えば縦框部分に摘み等を設けてもよい。
【００１５】
図４は、ストッパ部材の係合方向を示した図である。
図４（イ）は、図４（ハ）において矢印Ａ方向から見た外障子５０のストッパ機構の状態を表した図である。
図４（ロ）は、図４（ハ）において、矢印Ｂ方向から見た内障子６０のストッパ機構１０の状態を表した図である。
外障子５０において、ストッパ受け３１は穴３７に対して召合框５３側にブロック部３１ａ及び緩衝材３１ｃを設けて形成され、ストッパ部材２２がその先端部２６を召合框５３側に向けてストッパ受け３１に係合される構造となっている。
内障子６０においても同様に、ストッパ受け３１は穴３７に対して、召合框６３側にブロック部３１ａ及び緩衝材３１ｃを設けて形成され、ストッパ部材２２がその先端部２６を召合框６３側に向けて係合される構造となっている。
【００１６】
図７、図８に請求項３に記載の発明に対応した例を示す。
図７において、下枠上面１０９は通常その上を通行する場合に、つまづきや嵌り込みを起こし得る大きさの凹凸を持たない略フラットに形成されている。
この下枠上面には細い条状のスライド溝５６及びスライド溝６６が設けられ、このスライド溝には、外障子もしくは内障子から垂下された垂下片５１ａもしくは垂下片６１ａが嵌入され、外障子、内障子はそれぞれ設けられている戸車（図示省略）を介し、この下枠上面上をスライド走行する下枠上面フラットサッシ構造となっている。
また、下枠上面の室外側端部にも細い条状のスライド溝４４ａが設けられ、網戸４４から垂下された垂下片４４ｂが嵌入されている。
網戸はこの下枠上面の室外側端部上を車輪により走行し、開閉されている。
下枠上面には、内部が空洞の中空部１５ａ及び中空部１５ｂが一体で形成され、その上面部分には穴が設けられることでストッパ受け取付用凹部３０ａ及びストッパ受け取付用凹部３０ｂを形成して下框５１及び下框６１内部に取り付けられているストッパ部材２２の先端部を嵌入し、係合している。
なお、ストッパ受けは下枠上面に穴を開けず直接設けてもよい。
ストッパ部材２２は室外側に設けられている操作用摘み２７ａが操作されることでストッパ受け３１に対して、係合又は解除が行われる。
図８（イ）はストッパ機構を上方から見て、ストッパ受けとストッパ部材の位置関係を表した図であり、図８（ロ）はストッパ機構の係合状態と解除状態を表した図である。
図８において、室内側にはストッパ部材２２の回動部材２４に設けられている鍵孔２４ａが下框の室内側より操作可能に設けられ、室内側からはこの鍵孔２４ａにキーを差し込んで係合、解除操作を行うことが出来る。
このキーは障子のキーと併用するものや、ドライバーや六角レンチ等の工具を使用するものでもよい。
老人福祉施設などにおいては、職員は通常、開口部２７ｄから室外側の操作摘み２７ａを操作し、ストッパ機構１０を解除又は係合する。
火災等の緊急時など室内側からストッパ機構１０を解除又は係合する場合には、キーを鍵孔２４ａに挿し込み回すことでストッパ機構１０を操作することになる。
ストッパ部材２２は、回動部材２４に対してアーム部２５に対向する位置に棹部２３を備えており、全体としてヘの字形状に形成されている。
ストッパ部材２２の先端部２６は自然状態では自重により下枠側に位置している。
ストッパ受け取付用凹部３０ｂは、中空部１５ｂを一体で形成することで二層構造となっている下枠上面１０９の所定の開放幅となる部分を切り欠くことで穴３７を形成し設けられ、その穴３７にストッパ受け３１を構成するブロック部３１ａをビス止めしている。
ブロック部３１ａには、ストッパ部材２２の先端部２６と当接する部分に緩衝材３１ｃが設けられている。
緩衝材３１ｃのストッパ部材２２との当接面と穴３７の底面３２は鋭角に構成され、同様にストッパ部材２２の先端部２６も鋭角に形成されているため、当接時にはストッパ部材２２が緩衝材３１ｃと底面３２の間にくい込み、しっかりと係合される構造となっている。
穴３７内のブロック部と対向する位置には傾斜材３３が設けられ、ストッパ部材が係合されている状態で障子を閉じた場合に、ストッパ部材２２が傾斜材３３の斜面に導かれ、滑らかに下枠上面１０９に達する構造となっている。
ストッパ部材２２には、その上部に円弧形状断面の凹みぞを形成した把持部２８を備えており、把持部２８は取付基部２１に固定されている係止バー２９に弾性変形により把持して係止可能になっている。
使用者が操作摘み２７ａを摘み、下方に動かし、ストッパ部材２２の先端部２６を上方に持ち上げて把持部２８を係止バー２９に把持させることで、ストッパ部材２２を係止バー２９に係止したストッパ機構１０の解除状態では、ストッパ部材２２の先端部２６は上方に持ち上げられているため、障子をスライド走行させた場合、ストッパ部材２２はストッパ受け取付用凹部３０ｂに嵌入せず、その上方を通過し、障子を所定の開放幅を越えて全開状態まで開くことが出来る。
ストッパ部材２２は、把持部２２が係止バー２９に係止されていない状態では、下枠上面から傾斜材３３の斜面及び穴３７の底面３２上を滑りながら移動するが、ストッパ部材の下枠上面等との接触部分に車輪を設けてより滑らかに移動出来るようにしてもよい。
【００１７】
図９、図１０に請求項４に記載の発明に対応した例を示す。
図９において、下枠上面１０９は通常その上を通行する場合に、つまづきや、嵌り込みを起こし得る大きさの凹凸を持たない略フラットに形成されている。
この下枠上面には、細い条状のスライド溝５６及びスライド溝６６が設けられ、このスライド溝には外障子５０もしくは内障子６０から垂下された垂下片５１ａもしくは垂下片６１ａが嵌入され、外障子５０、内障子６０はそれぞれ設けられている戸車（図示省略）を介し、この下枠上面上をスライド走行する下枠上面フラットサッシ構造となっている。
下枠上面１０９には、内部が空洞の中空部１５ａ及び中空部１５ｂが一体で形成され、その上面部分には穴が設けられることで、ストッパ受け取付用凹部３０ａ及びストッパ受け取付用凹部３０ｂを形成してストッパ受けが設けられ、下框５１及び下框６１内部に取り付けられているストッパ部材２２の先端部を嵌入し係合している。
男性が瞬間的に戸を開ける力は、約１６００Ｎに達することがあると報告されているが、このような構造にすることにより、３０００Ｎにも耐えられる。
これにより、外部から係合状態にある障子を無理矢理押し広げて室内に侵入することを防止できる。
なお、ストッパ受けは下枠上面に穴を設けず直接設けてもよい。
ストッパ部材２２は、室内側に設けられている操作用摘み２７ｂが操作されることでストッパ受けに対して、係合又は解除が行われる。
各下框の室外側側面の下端には、ヒレ状の隠蔽部材３６が設けられ、その下端が下枠上面に当接し屈曲している。
隠蔽部材３６は、各下框の下端の召合框側の端部から戸当框側の端部まで一様に設けられ、障子が下枠上面をスライド走行した場合、その下端を下枠上面に摺接させながら移動することとなる。
これらの隠蔽部材は、下框と下枠上面との間の隙間を塞ぐことで、室外側からはストッパ部材２２の位置を分からなくし、又、隙間を塞いだことでこの隙間に室外側から細い棒等を挿し入れてストッパ部材を解除操作した上で室内に障子を開いて侵入することを防止している。
また、更に防犯性を高めるために操作用摘みは着脱可能として、非操作時は外すことで操作出来ない構造としてもよい。
【００１８】
図１１には、ストッパ受けを下枠上面に直接取り付けた例を示す。
図１１（イ）において下枠上面１０９ａは、通常その上を通行する場合に、つまづきや、嵌り込みを起こし得る大きさの凹凸を持たない略フラットに形成されている。
この下枠上面には細い条状のスライド溝５６及びスライド溝６６が設けられ、このスライド溝には、外障子の下框５１もしくは内障子の下框６１から垂下された垂下片５１ａもしくは垂下片６１ａが嵌入されている。
この下枠上面上を、外障子、内障子はそれぞれ設けられている戸車（図示省略）によりスライド走行する。
下枠上面には、下枠上面からの突出量を少なく抑えたストッパ受け３５が設けられている。
このストッパ受け３５に、下框内部に取り付けられているストッパ部材２２の先端部が係合する。
ストッパ部材２２は、このストッパ受け３５に対して係合又は解除操作が行われることで、障子を所定の開放幅に制限する状態と、制限を解除して全開まで開くことが出来る状態とを選択できる。
図１１（ロ）において、ストッパ部材２２は把持部２８が係止バー２９に把持されない状態と、把持された状態が選択されることで、開放幅の制限状態と制限の解除状態が選択されるが、ストッパ部材２２が係止バー２９に係止されていない状態で、ストッパ受け３５より、この場合左側の召合框側にある場合は、戸を右側の閉じ方向に移動し、ストッパ部材２２がブロック部３１ｂの左側の斜面を滑らかに乗り上げ、ストッパ受け３５を乗り越え、その後に戸を左側の開き方向に移動することで、ストッパ部材２２が緩衝材３１ｃに当接し係合状態となり開放幅は制限されることとなる。
【００１９】
【発明の効果】
本発明におけるバリアフリーサッシの障子開放制限装置においては、下枠上面を略フラットにした下枠上面からの排水性能を確保しつつ、下枠上面部材にストッパ受け取付用凹部を形成し、このストッパ受けを取り付けることで十分な強度を有するストッパ機構を設けることが出来る。
これにより、下枠フラット面上を歩行する際の障害物がなく安全性がより保たれる。
また、室内側からキー操作にてのみ、解除できるようにすると高水密バリアフリーサッシの要求が高い老人福祉施設等の社会福祉施設や保育園等において、老人や園児が換気のために開けてある戸をあけて、不用意に外へ出てしまうことを防止出来る一方で、非常時にはこのキー操作で解除できる高水密バリアフリーサッシを提供することが出来る。
ストッパ機構は荷重強度が３０００Ｎ以上という高い剛性を有する構造であり、意図的に開放制限されている障子を押し拡げようとする事態にも十分に対応出来る。
また、室内側に操作摘みを設けて室外側に隠蔽部材を取り付けると、高水密バリアフリーサッシの要求の高い住宅においても、室外側から見た場合にストッパ機構の取付位置は隠蔽され、発見し難く構成されているために、換気のために開けてある障子を開けて、外部から第三者に侵入されることを防止出来る。
その一方で室内側から操作摘みの位置を見るだけで係合状態にあるのか解除状態にあるのか容易に確認できる。
【図面の簡単な説明】
【図１】本発明に係る開放制限装置を適用したバリアフリーサッシの縦断面図を示す。
【図２】本発明に係る開放制限装置を適用したバリアフリーサッシの横断面図を示す。
【図３】本発明に係る開放制限装置を適用したバリアフリーサッシの横断面図を示す。
【図４】（イ）ストッパ部材の係合方向を表した図を示す。
（ロ）ストッパ部材の係合方向を表した図を示す。
（ハ）本発明に係る開放制限装置を適用したバリアフリーサッシのストッパ受けの位置を表した横断面図を示す。
【図５】本発明に係る開放制限装置を適用したバリアフリーサッシのストッパ受け付近の斜視図（内観図）を示す。
【図６】本発明に係る開放制限装置を適用したバリアフリーサッシのストッパ機構付近の斜視図（内観図）を示す。
【図７】本発明に係る開放制限装置を適用したバリアフリーサッシの縦断面図を示す。
【図８】（イ）ストッパ機構を上方から見て、ストッパ受けとストッパ部材の位置関係を表した図を示す。
（ロ）ストッパ機構の係合状態と解除状態を表した図を示す。
【図９】本発明に係る開放制限装置を適用したバリアフリーサッシの縦断面図を示す。
【図１０】（イ）ストッパ機構を上方から見て、ストッパ受けとストッパ部材の位置関係を表した図を示す。
（ロ）ストッパ機構の係合状態と解除状態を表した図を示す。
【図１１】（イ）本発明に係る開放制限装置を適用したバリアフリーサッシの縦断面図を示す。
（ロ）ストッパ機構の係合状態と解除状態を表した図を示す。
【図１２】屋外用バリアフリーサッシの施工イメージ図を示す。
【図１３】従来のサッシの縦断面図を示す。
【符号の説明】
１０    ストッパ機構
１５ａ、１５ｂ  中空部
２１    取付基部
２２    ストッパ部材
２３    棹部
２４    キー式回動部材
２４ａ  鍵穴
２４ｂ  キー
２５    アーム部
２６    先端部
２７ａ、２７ｂ  操作摘み
２７ｃ、２７ｄ  開口部
２８    把持部
２９    係止バー
３０ａ、３０ｂ    ストッパ受け取付用凹部
３１      ストッパ受け
３１ａ、３１ｂ    ブロック部
３１ｃ    緩衝材
３２      穴底面
３３      傾斜材
３４      回動部材
３５      ストッパ受け
３６      隠蔽部材
３６ａ    隙間
３７      穴
３８、３９  ビス
４０      左縦枠
４１      右縦枠
４２、４２ａ      下枠
４３      上枠
４４      網戸
４４ａ    網戸スライド溝
４４ｂ    網戸垂下片
４５ａ、４５ｂ  戸車
５０      外障子
６０      内障子
５１      外障子下框          ６１    内障子下框
５１ａ    外障子垂下片        ６１ａ  内障子垂下片
５２      外障子戸当框        ６２    内障子戸当框
５３      外障子召合框        ６３    内障子召合框
５５      外障子上框          ６５    内障子上框
５６      外障子スライド溝    ６６    内障子スライド溝
７２ａ    外障子用排水凹部    ７２ｂ  内障子用排水凹部
１００    ベース部材
１０１    第１立ち上がり片
１０１ａ  フランジ
１０２    第２立ち上がり片
１０３    第３立ち上がり片
１０４    第４立ち上がり片
１０５    第５立ち上がり片
１０６    外障子用上面部材      １０７  内障子用上面部材
１０８    案内中空部
１０９、１０９ａ    下枠上面
【図１】
2004239000.tif 000003
【図２】
2004239000.tif 000004
【図３】
2004239000.tif 000005
【図４】
2004239000.tif 000006
【図５】
2004239000.tif 000007
【図６】
2004239000.tif 000008
【図７】
2004239000.tif 000009
【図８】
2004239000.tif 000010
【図９】
2004239000.tif 000011
【図１０】
2004239000.tif 000012
【図１１】
2004239000.tif 000013
【図１２】
2004239000.tif 000014
【図１３】
2004239000.tif 000015
【手続補正書】
【提出日】平成15年8月26日(2003.8.26)
【手続補正１】
【補正対象書類名】明細書
【補正対象項目名】特許請求の範囲
【補正方法】変更
【補正の内容】
【特許請求の範囲】
【請求項１】
下枠上面を略フラットに形成し、この下枠上面に細い条状のスライド溝を設け、このスライド溝に、障子下框から垂下させた垂下片を嵌入し、下枠上面を障子がスライド走行する下枠上面フラットサッシ構造とし、下枠上面に障子の開口範囲を制限するストッパ受けを備え、当該ストッパ受けに係合するストッパ部材を障子下框内部に自重でこのストッパ部材の先端部が下枠上面を滑り回動するように備えたことを特徴とするバリアフリーサッシの障子開放制限装置。
【請求項２】
下枠上面を略フラットに形成し、この下枠上面に細い条状のスライド溝を設け、このスライド溝に、障子下框から垂下させた垂下片を嵌入し、下枠上面を障子がスライド走行する下枠上面フラットサッシ構造とし、障子の開口範囲を制限するストッパ受けを、二重構造にした下枠上面の上の辺を切り欠いてこのストッパ受け取付用凹部を形成して取り付け、当該ストッパ受けに係合するストッパ部材を障子下框内部に自重でこのストッパ部材の先端部が下枠上面を滑り回動するように備えたことを特徴とするバリアフリーサッシの障子開放制限装置。
【請求項３】
下枠上面を略フラットに形成し、この下枠上面に細い条状のスライド溝を設け、このスライド溝に、障子下框から垂下させた垂下片を嵌入し、下枠上面を障子がスライド走行する下枠上面フラットサッシ構造とし、障子の開口範囲を制限するストッパ受けを、二重構造にした下枠上面の上の辺を切り欠いて取付凹部を形成して取り付け、当該ストッパ受けに係合するストッパ部材を障子下框内部に自重でこのストッパ部材の先端部が下枠上面を滑り回動するように備え、上記ストッパ受けとストッパ部材の係合を解除する操作用摘みを室外側に備え、室内側からは、キー操作により上記係合解除するための鍵穴を設けたものであることを特徴とするバリアフリーサッシの障子開放制限装置。
【請求項４】
下枠上面を略フラットに形成し、この下枠上面に細い条状のスライド溝を設け、このスライド溝に、障子下框室内側から垂下させた垂下片を嵌入し、下枠上面を障子がスライド走行する下枠上面フラットサッシ構造とし、障子の開口範囲を制限するストッパ受けを、下枠上面に取付凹部を形成して取り付け、障子下框内部に当該ストッパ受けに係合するストッパ部材を備え、上記ストッパ受けとストッパ部材の係合を解除する操作用摘みを室内側に備え、室外側には下框と下枠上面との間の隙間を隠す隠蔽部材を備えたことを特徴とするバリアフリーサッシの障子開放制限装置。
【手続補正２】
【補正対象書類名】明細書
【補正対象項目名】０００５
【補正方法】変更
【補正の内容】
【０００５】
【課題を解決するための手段】
請求項１記載の発明の技術的要旨は、下枠上面を略フラットに形成し、この下枠上面に細い条状のスライド溝を設け、このスライド溝に、障子下框から垂下させた垂下片を嵌入し、下枠上面を障子がスライド走行する下枠上面フラットサッシ構造とし、下枠上面に障子の開口範囲を制限するストッパ受けを備え、当該ストッパ受けに係合するストッパ部材を障子下框内部に自重でこのストッパ部材の先端部が下枠上面を滑り回動するように備えた点である。


【手続補正３】
【補正対象書類名】明細書
【補正対象項目名】０００６
【補正方法】変更
【補正の内容】
【０００６】
請求項２記載の発明の技術的要旨は、下枠上面を略フラットに形成し、この下枠上面に細い条状のスライド溝を設け、このスライド溝に、障子下框から垂下させた垂下片を嵌入し、下枠上面を障子がスライド走行する下枠上面フラットサッシ構造とし、障子の開口範囲を制限するストッパ受けを、二重構造にした下枠上面の上の辺を切り欠いてこのストッパ受け取付用凹部を形成して取り付け、当該ストッパ受けに係合するストッパ部材を障子下框内部に自重でこのストッパ部材の先端部が下枠上面を滑り回動するように備えた点である。


【手続補正４】
【補正対象書類名】明細書
【補正対象項目名】０００８
【補正方法】変更
【補正の内容】
【０００８】
請求項３記載の発明の技術的要旨は、下枠上面を略フラットに形成し、この下枠上面に細い条状のスライド溝を設け、このスライド溝に、障子下框から垂下させた垂下片を嵌入し、下枠上面を障子がスライド走行する下枠上面フラットサッシ構造とし、障子の開口範囲を制限するストッパ受けを、二重構造にした下枠上面の上の辺を切り欠いて取付凹部を形成して取り付け、当該ストッパ受けに係合するストッパ部材を障子下框内部に自重でこのストッパ部材の先端部が下枠上面を滑り回動するように備え、上記ストッパ受けとストッパ部材の係合を解除する操作用摘みを室外側に備え、室内側からは、キー操作により上記係合解除するための鍵穴を設けた点である。